(57)【要約】電極（２４）上にフィラメント（２２）を座らせるための装置（２０）が、縦軸（Ａ−Ａ）を持った中央部分（５４）、第一の端部（５６）、及び、第二の端部（５８）を備えた本体（５２）を有する。第一及び第二の端部（５６、５８）は、中央部分（５４）の反対端に位置し、それぞれが縦軸（Ａ−Ａ）から離れる方向に延びて、くぼみ（５９）を形成している。各端部（５６、５８）は、くぼみ（６１、６３）に略面した表面と、外表面（７４、７６）とを含む。本体に設けられたボア（６８）は、本体（５２）を電極（２４）にマウントするための保持部材（図示せず）を受け入れるように設計される。空洞（７０）は、第一の端部（５６）を外表面（７４）からくぼみに面した表面（６１）まで貫く。第二の端部（５８）に設けられた空洞（８９）は、くぼみ（５９）に向けて開放している。第一の端部（５６）と第二の端部（５８）に設けられた空洞（７０、８０）は、くぼみ（５９）を挟んで対抗するように設けられる。
2004530280.tif 000002
【特許請求の範囲】
【請求項１】
フィラメント取付具であって、
縦軸を持つ中央部分、第一の端部、及び、第二の端部を有する本体と、
前記本体をマウントする保持部分を受け入れるように前記本体に設けられたボアと、
前記第一の端部に設けられた空洞と、
前記第二の端部に設けられた空洞と、を有し、
前記第一及び第二の端部は、前記中央部分の反対端に配置され、前記縦軸から離れる方向に延びて、くぼみを形成しており、
前記第一及び第二の端部の各々は、前記くぼみにほぼ面した表面と、外表面とを有し、
前記第一の端部に設けられた空洞は、該第一の端部を前記外表面から前記くぼみに面した表面まで貫く、ことを特徴とするフィラメント取付具。
【請求項２】
請求項１記載の装置であって、
前記第二の端部に設けられた空洞は、該第二の端部を前記くぼみに面した表面から前記外表面まで貫く、ことを特徴とする装置。
【請求項３】
請求項１記載の装置であって、
前記本体から延びる少なくとも１つのキーを更に有する、ことを特徴とする装置。
【請求項４】
請求項１記載の装置であって、
前記第一の端部を前記外表面から前記くぼみに面した表面まで貫く第二の空洞と、
前記第二の端部に設けられ、前記くぼみに面した表面に向けて開放した第二の空洞と、を更に有し、
前記第一及び第二の端部に設けられた第二の空洞の各々は、前記くぼみを挟んで互いに対向して設けられる、ことを特徴とする装置。
【請求項５】
請求項１記載の装置であって、
前記中央部分は、少なくとも１つの部分が電気的導電性を有しない複数の部分を有する、ことを特徴とする装置。
【請求項６】
請求項１記載の装置であって、
少なくとも１つの端部に設けられた一空洞と交差するボアを更に有し、
前記ボアは、関連するマンドリルを前記空洞に固定するための保持部材を受け入れるように設計される、ことを特徴とする装置。
【請求項７】
請求項１記載の装置であって、
前記くぼみを渡り、前記第一の端部の空洞と前記第二の端部の空洞とにおいて受け入れられるマンドリルを更に有する、ことを特徴とする装置。
【請求項８】
マンドリルを用いて、電極上にフィラメントをセットする取付具であって、
くぼみを規定する略Ｃ形の本体と、
前記本体を貫き、本取付具を所望の位置で前記電極に取り付ける固定部材を受け入れるボアと、
前記Ｃ形の本体によって形成された前記くぼみを挟んで互に対向するように配置された一対の空洞と、を有し、
前記空洞の各々は、前記マンドリルが前記くぼみに渡されているときに該マンドリルの一端を保持する、ことを特徴とする取付具。
【請求項９】
請求項８記載の装置であって、
前記本体から延び、前記電極の表面と係合して前記取付具を所望の位置に位置合わせするのを支援するキーを更に有する、ことを特徴とする装置。
【請求項１０】
請求項９記載の装置であって、
前記Ｃ形の本体は、少なくとも１つの部分が電気的導電性を有しない複数の部分を有する、ことを特徴とする装置。
【請求項１１】
請求項９記載の装置であって、
少なくとも１つの端部に設けられた一空洞と交差するボアを更に有し、
前記ボアは、関連するマンドリルを前記空洞に固定するための保持部材を受け入れるように設計される、ことを特徴とする装置。
【請求項１２】
請求項９記載の装置であって、
前記くぼみを渡り、前記第一の端部の空洞と前記第二の端部の空洞とにおいて受け入れられるマンドリルを更に有する、ことを特徴とする装置。
【請求項１３】
関連する電極にフィラメントをセットするための取付具であって、
中央部分、該中央部分の一端に設けられた第一のアーム、及び、該中央部分の反対端に設けられた第二のアームを有する本体と、
前記関連する電極上で前記本体を所望の位置に位置合わせする手段と、
前記アームの各々においてマンドリルの一端を受け入れる手段と、を有し、
前記アームは前記中央部分から離れる方向に延びてくぼみを形成し、
前記マンドリルは、該マンドリルが前記アーム及び前記本体において受け入れられて前記関連する電極上で位置合わせされたときに、該関連する電極に対して所望の位置で前記くぼみを渡る、ことを特徴とする取付具。
【請求項１４】
請求項１３記載の装置であって、
前記位置合わせ手段は、前記本体を前記関連する電極へ固定する手段を有する、ことを特徴とする装置。
【請求項１５】
請求項１３記載の装置であって、
前記位置合わせ手段は、前記本体から延び、前記関連する電極の空洞に受け入れられるキーを有する、ことを特徴とする装置。
【請求項１６】
請求項１３記載の装置であって、
前記マンドリルを該マンドリルの一端を受け入れる手段に保持する手段を更に有する、ことを特徴とする装置。
【請求項１７】
請求項１３記載の装置であって、
前記マンドリルに電流を流す手段を更に有する、ことを特徴とする装置。
【請求項１８】
請求項１７記載の装置であって、
前記マンドリルに電流を流す手段は前記アームの各々に取り付けられ、
前記アームは互いに電気的に絶縁されている、ことを特徴とする装置。
【請求項１９】
電極上で電極フィラメントを位置合わせする方法であって、
マンドリルをフィラメント取付具の第一の空洞に通す工程と、
前記電極フィラメントを前記マンドリルと螺合させる工程と、
前記フィラメント取付具によって形成されたくぼみを渡る前記マンドリルの一端を前記フィラメント取付具の第二の空洞に置く工程と、
前記フィラメント取付具を所望の位置に位置合わせする工程と、
前記フィラメント取付具を前記電極に固定する工程と、を有することを特徴とする方法。
【請求項２０】
請求項１９記載の方法であって、
前記フィラメント取付具を位置合わせする工程は、少なくとも１つのフィラメント・リードを前記電極に通す工程を含む、ことを特徴とする方法。
【請求項２１】
請求項１９記載の方法であって、
前記フィラメント取付具を位置合わせする工程は、前記フィラメント取付具と前記電極の間に詰め木を置く工程を含む、ことを特徴とする方法。
【請求項２２】
請求項１９記載の方法であって、
前記フィラメント取付具を位置合わせする工程は、前記フィラメント取付具から延びるキーを前記電極上のキー溝内へ置く工程を含む、ことを特徴とする方法。
【請求項２３】
請求項１９記載の方法であって、
前記フィラメントを前記電極に固定する工程と、
前記マンドリルを取り除く工程と、
前記フィラメント取付具を前記電極から取り除く工程とを更に有する、ことを特徴とする方法。
【請求項２４】
請求項２３記載の方法であって、
前記フィラメントを前記電極に固定する工程の前に前記フィラメントをフラッシュさせる工程を更に含む、ことを特徴とする方法。
【請求項２５】
マンドリルを用いて、フィラメントを電極にセットするためにの取付具であって、
くぼみを定義し、少なくとも１つの部分が電気的導電性を有しない複数の部分を有する、略Ｃ形の本体と、
前記本体から延び、前記電極の表面と係合して前記取付具を所望の位置に位置合わせするのを支援するキーと、
前記本体を貫き、本取付具を所望の位置で前記電極に取り付ける固定部材を受け入れるボアと、
前記Ｃ形の本体によって形成された前記くぼみを挟んで互に対向するように配置された一対の空洞と、を有し、
前記空洞の各々は、前記マンドリルが前記くぼみに渡されているときに該マンドリルの一端を保持する、ことを特徴とする取付具。
【請求項２６】
請求項２５記載の装置であって、
前記くぼみを渡り、前記Ｃ形の本体の一対の空洞に受け入れられるマンドリルを更に有する、ことを特徴とする装置。
【請求項２７】
請求項２６記載の装置であって、
前記一対の空洞のうちの一空洞と交差するボアを更に有し、
前記ボアは、前記マンドリルを前記空洞に固定するための保持部材を受け入れるように設計される、ことを特徴とする装置。
【発明の詳細な説明】
【技術分野】
【０００１】
本発明は、Ｘ線管に係り、特に、Ｘ線管用陰極カップ上に陰極フィラメントをセットする方法及び装置に関する。
【背景技術】
【０００２】
作動Ｘ線管において、陰極フィラメントを受け入れるスロットの底に対する陰極フィラメントの位置は、該フィラメントから発せられた電子ビームの複数の属性を制御する際に重要である。
【発明の開示】
【発明が解決しようとする課題】
【０００３】
陰極カップ上での陰極フィラメントの作動位置をセットする従来方法は、個人の判断及び技量を必要としている。これら従来の手法を用いて陰極フィラメントを正確且つ一貫して配置することは難しい。正確に置かれなかったフィラメントは、電子ビームの属性に望まれない影響を及ぼす。
【０００４】
陰極カップにおいてフィラメントをセットするタスクは、陰極カップの表面への擦り傷又は他の損害をもたらし得る。このような損害は、作動Ｘ線管に高電圧アークを発生させ得るシャープな不完全性を陰極に引き起こし得る。アークの発生は、Ｘ線管の寿命を縮め得る。
【０００５】
一般的に、陰極フィラメントのセッティングは、所望の電子ビーム属性が得られるように陰極上の所望の位置に陰極フィラメントを置くことから始まる。陰極カップは、陰極フィラメントのリードを受け入れるための、カップを貫くボアを有する。このボアに中空の円筒形のセラミック絶縁体が挿入され、カップを貫いて延びる。これら絶縁体は、陰極カップ内へろう付けされる。フィラメントは、フィラメント・リードをこの中空の円筒形セラミック絶縁体を通して供給することによって、所望のポジションに置かれる。次いで、フィラメント・リードは、そのセラミック絶縁体に固定され、よって、フィラメントは、陰極カップにおいて支持される。
【０００６】
フィラメントを所望の位置に置く現在の熟練者集約的な方法の１つは、長さを単位として基準位置から焦点位置を読み出す手段を備えた光学式顕微鏡を使用することを含む。陰極カップ表面に対する陰極フィラメントの所望の相対位置をセットすることは、中空の円筒形セラミック絶縁体を通して陰極フィラメント・リードを挿入することによって開始される。陰極フィラメントを所望の位置に置くために、顕微鏡は、最初に、陰極カップ表面に焦点を合わせ、顕微鏡焦点読み取り値が記録されるか又はゼロに合わせられる。次いで、顕微鏡は、陰極フィラメント表面に再度焦点が合わせられ、顕微鏡焦点読み取り値が書き留められる。必要に応じて、フィラメントの位置が所望の位置に調整される。焦点が合った顕微鏡での陰極位置の読み取り値の決定と陰極フィラメントの位置の調整とは、フィラメントが特定のＸ線管用途に対して所望のフィラメント・セッティングとなるまで、繰り返し行われる。このプロセスの一貫性、効率、及び精度は、オペレータの視覚認知と技量によって影響される。オペレータが変われば、この繰り返しプロセスにおいて、視覚認知及び技量レベルが異なり得るため、陰極フィラメントの配置が一貫したものにならない可能性がある。
【０００７】
陰極フィラメントが一旦所望の位置となると、フィラメント・リードは、中空円筒形セラミック絶縁体内で機械的にかしめられる。このかしめは、フィラメント・フラッシュ動作中、陰極フィラメントを所望の位置に保持する。陰極フィラメントは、通常、２回光る。最初のフラッシュ動作は応力を緩和するためであり、２回目のフラッシュ動作はフィラメントを強化するためである。機械的応力が最初のフラッシュ中に緩和されると、陰極フィラメントは所望の位置からねじれる／よじれる可能性がある。この動きにより陰極フィラメントの位置が変わると、顕微鏡を用いてフィラメントを再セットすることは難しい。２回目のフラッシュの後、陰極フィラメント・リードは、中空円筒形セラミック絶縁体にレーザ溶接される。フィラメントが一旦セットされると、顕微鏡下にフィラメントを見ながら、よじれた部分を物理的に再位置合わせすることによって、フィラメントにおけるよじれが取り除かれる。また、このフィラメント再位置合わせプロセスも、オペレータの視覚認知と技量を必要とする。このように、よじれたフィラメントの再位置合わせの一貫性及び精度も、初期設定プロセスと同じにように、個人差が生じる。
【０００８】
以上の理由により、効率的で、正確で、一貫した陰極フィラメントのセッティング及び位置合わせができるより難しくない方法及び装置に対する必要性が存在する。
【０００９】
本発明は、正確で一貫したＸ線管における陰極フィラメントのセッティングを提供する必要性を満たす方法及び装置に関する。
【課題を解決するための手段】
【００１０】
本発明の一実施形態に係るフィラメント取付具は、縦軸を持つ中央部分を備えた本体を有する。この本体は、更に、中央部分の反対端にそれぞれ配置された第一の端部及び第二の端部を有する。第一及び第二の端部の各々は、上記縦軸から離れる方向に延びているため、くぼみを形成している。第一及び第二の端部の各々は、このくぼみにほぼ面した表面と、外表面とを有する。本体に設けられたボアは、本体をマウントする保持部分を受け入れるように設計される。第一の端部に設けられた空洞は、第一の端部を外表面からくぼみに面した表面まで貫く。第二の端部に設けられた空洞は、くぼみに向けて開放している。これら第一の端部及び第二の端部に設けられた空洞は、くぼみを挟んで互いに対向するように設けられる。
【００１１】
本発明の別の態様によれば、本装置は、マンドリルを用いて、電極上にフィラメントをセットする取付具を有する。この取付具は、くぼみを規定する略Ｃ形の本体を有する。この本体を貫くボアが、本取付具を所望の位置で電極に取り付ける固定部材を受け入れる。一対の空洞がＣ形の本体によって形成されたくぼみを挟んで互に対向するように配置される。これら空洞の各々は、マンドリルがくぼみに渡されているときに該マンドリルの一端を保持する。
【００１２】
本発明の別の態様によれば、電極上で電極フィラメントを位置合わせする方法が提供される。本方法は、マンドリルの一端をフィラメント取付具の第一の空洞に通す工程と、電極フィラメントをマンドリルと螺合させる工程とを有する。このマンドリルの一端は、マンドリルが取付具によって形成されたくぼみを渡るように、フィラメント取付具の第二の空洞に置かれる。このフィラメント取付具は、所望の位置で電極上に置かれ、電極に固定される。
【００１３】
本発明は、シンプルで、正確で、一貫した電極フィラメントの位置合わせなどの以下に述べる利点をいずれも含み得るが、それらに限定されるわけではない。本発明は、上記特徴及び以下に述べる（特に、請求項で指摘する）他の特徴を提供する。本発明は、上述の利点を個々に又は任意の組み合わせ含んでもよく、更には、以下の説明に記載される他の特徴と組み合わせて含んでもよい。
【００１４】
以下の説明及び添付図面は、本発明のある例示的実施形態について記述している。本発明の別の実施形態が様々な構成要素及び構成要素の配置で構成し得ることは明らかである。これらは、本発明の原理が用いられ得る様々な方法をほんの一部を暗示している実施形態を記載している。図面は、好ましい実施形態を説明することのみを目的としたものであり、本発明を限定するものと解釈されるべきではない。
【００１５】
本発明の上記及び他の特徴及び利点は、添付図面を参照して以下の本発明の好ましい実施形態の詳細な説明を検討すれば、本発明に関連する分野の当業者には明らかであろう。
【発明を実施するための最良の形態】
【００１６】
図１を参照すると、電極構造にフィラメントをセットする方法に従って使用される装置２０が図示されている。この例において、陰極フィラメント２２は、陰極構造２４にセットされる。陰極フィラメント２２は、縦軸に沿った中空円筒形コアを備えた渦巻形フィラメントとして構成され得る。マンドリル上にネジ山を切ることが可能な他の既知のフィラメント構成も、本発明の装置及び方法を使ってセットされ得る。陰極フィラメント２２は、フィラメント・リード２３ａ及び２３ｂを有する。陰極構造２４は、支持アーム２８に取り付けられた陰極カップ２６を有する。別の方法として、支持アーム２８及び陰極カップ２６は、一体の部材から製造されてもよい。
【００１７】
陰極カップ２６は、上面３０と、底面３２とを有する。上面３０から底面３２に４つの側面３４ａ、３４ｂ、３４ｃ、３４ｄが延在し、陰極カップ２６の外周を定義している。キー溝３６、３８は、上面３０に位置し、側面３４ｂから側面３４ｄへ延在する。ネジ山が切られたボア４０、４２は、上面３０から底面３２へ向けて陰極カップ２６内に延在する。フィラメント・リード・ボア４４、４６は、陰極カップ２６を貫いて延びる。フィラメント・リード・ボア４４、４６は、第一のフィラメント溝４５におけるフィラメント２２の位置合わせを提供するように適切に配置される。多陰極構成では、第二の一対のフィラメント・リード・ボア４８、５０が、同様に、陰極カップ２６を貫いて延びる。リード・ボア４８、５０は、第二のフィラメント溝４９において第二のフィラメント（図示せず）の位置合わせを提供するように配置される。フィラメント・リード・ボア４４、４６、４８、５０は、本分野では知られているように、円筒形の中空のセラミック絶縁体（図では見えない）で裏打ちされる。フィラメント２３ａ、２３ｂは、陰極カップ２６の中空セラミック絶縁体を通り、底面３２（図２で見える）を越えて延在する。
【００１８】
装置２０は、軸Ａ−Ａに沿って延びる本体５２を有する。本体５２は、中央部分５４、第一のアーム５６、及び、第二のアーム５８、を有する。アーム５６、５８の各々は、中央部分５４の逆の端部に配置される。アーム５６、５８は、中央部分５４よりも更に軸Ａ−Ａから離れる方向へ延びているため、アーム５６、５８の内表面６１、６３と中央部分５４との間にくぼみ５９を有する略Ｃ形フレームを構成する。
【００１９】
中央部分５４は、セグメント６０と、軸Ａ−Ａに沿ってセグメント６０の両側に配置された絶縁体部分６２、６４と、を有する。セグメント６０は、本体５２を陰極に固定するのに適した、銅などの熱伝導／電気伝導が良好な材料から成る。絶縁体部分６２、６４は、セラミック材料から成る。セグメント６０は、その底面から延び、陰極カップ２６のキー溝３６に受け入れられるのに適合したキー６６ａ、６６ｂを有する。ボア６８は、セグメント６０をその上面からその底面を抜けて貫いている。キー６６がキー溝３６に受け入れられると、ボア６８は陰極カップ２６のネジ山が切られたボア４０と位置合わせされている。本体５２を陰極カップ２６に固定するために、適切な保持部材（図示せず）がネジ山が切られたボア６８を通ってボア４０に保持可能に受け入れられてもよい。ネジ、ボルト、バイアス・ピンなどの複数の既知の保持部材のいずれであっても、本体５２を具体的な所望の位置に固定するのに用いることができる。ボア４０、４２にネジ山が切らずに、そのような代替的保持部材を受け入れるように設計することもできる。中央部分５４のセグメント６０は、例えば、ろう付け、摩擦嵌め合い、又は、他の構造上適切な方法によって、絶縁体部分６２、６４に適切に取り付けられる。
【００２０】
アーム５６、５８は、銅などの導体材料から成り、それぞれ外表面７４、７６を有する。アーム５６、５８は、それらのそれぞれの内表面６１、６３の一部に沿って、中央部分５４の隣接した絶縁体部分６２、６４に適切に取り付けられる。
【００２１】
第一のアーム５６は、マンドリル７２を通し得るボア７０（又は空洞）を有する。ボア７０は、外表面７４から内表面６１へアーム５６を通って延びる。ネジ山が切られたボア７８は、それがボア７０と交差するまで、アーム５６の上面から延びる。ネジ山が切られたボア７８は、ボア７８と螺合する適切な保持部材（図示せず）を受け入れるように設計される。保持部材は、ボア７０においてマンドリル７２を固定するのに用いられる。ネジ山が切られたボルト（図示せず）を受け入れる第二のネジ山が切られたボア７９は、第一のアーム５６において、電流供給用配線端子（図示せず）の取付を容易にするために設けられる。
【００２２】
第二のアーム５８は、マンドリル７２を受け入れるボア８０を有する。このボアは、アーム５８を内表面６３から外表面７６へ貫く。別の方法として、マンドリル７２がマンドリル及びフィラメントを位置決めするためにボアに固定的に受け入れられ得るように、ボア８０が部分的にアーム５８を通って延びるだけでもよい。ネジ山が切られたボア８２は、それがボア８０と交差するまで、アーム５８の上面から延びる。ネジ山が切られたボア８２は、ボア８０と螺合する保持部材（図示せず）を受け入れるように設計され、マンドリル７２をボア８０に固定するのに用いられ得る。ネジ山が切られたボルト（図示せず）を受け入れる第二のネジ山が切られたボア８１は、第一のアーム５８において、電流経路を提供する配線端子（図示せず）の取付を容易にするために設けられる。
【００２３】
マンドリル７２は、フラッシュ作動中にフィラメントを所望の位置に保持するのに適切なタングステン又は他の材料などの電気的導電材料から成る。この例において、タングステン・マンドリルは、本発明において用いられる所望の物質的特徴を生み出すために予めフラッシュさせておくことができる。
【００２４】
アーム５６、５８とそれらのそれぞれのネジ山が切られたボア７９、８１において接続される配線端子（図示せず）は、フィラメントをフラッシュさせるのに適切な電源（図示せず）と電気的に接続される。電源からの電流経路の一部を構成する装置２０の構成要素には、第一のアーム５６、電気的に導電性のマンドリル７２、及び、第二のアーム５８、が含まれる。当業者には明らかなように、電源は、他の既知の適切なコネクタ及び取付部材を用いて装置２０に取り付けられ、電流を導電性のマンドリル７２を通って本体５２又はマンドリル７２に提供することができる。
【００２５】
本体５２及びマンドリル７２を位置決めし、よってフィラメント２２を陰極カップ２６のフィラメント溝４５に対して所望の位置に位置決めするための詰め木８４を陰極カップ２６と本体５２との間に挿入することが可能である。フィラメント２２の所望のセッティング位置を得るために、個別の詰め木又は厚さの異なる複数の詰め木が単独で又は組み合わせて用いられ得る。詰め木８０は、陰極製造時の既述の使用条件下でのよくある摩損及び腐食及び引き裂きに耐えることができ、腐食する傾向がない、機械的に安定した材料から成る。適切な材料の例は、ステンレス鋼である。
【００２６】
キー６６ａ、６６ｂ、キー溝３６、３８、ネジ山が切られたボア４０、４２、保持部材用ボア６８、一対のたマンドリル受け入れボア７０、８０、及び、１又は複数の詰め木８４の相対的な位置は、フィラメントを陰極カップ２６に対して所望の位置に固定的に位置決めできるのであれば、互いにあらゆる適切な組み合わせで用いられ得る。
【００２７】
装置２０を用いて陰極フィラメント２２をセットする方法は、マンドリル７２の一端を本体５２のアーム５６の第一のボア７２を通すことを含む。次に、フィラメント・リード２３ａ、２３ｂは、陰極カップのフィラメント・リード・ボア４４、４６を通され、フィラメント２２は、フィラメントの中空円筒形の管状部分を通るマンドリル７２と螺合される。マンドリル７２の一端は、第二の受け入れボア８０に置かれるため、マンドリル７２は、中央部分５４とアーム５６、５８とによって形成されたＣ形くぼみ５９を渡る。マンドリル７２の各端は、本体５２のアーム５６、５８においてそれぞれ保持される。既述の実施形態において、マンドリルは、ネジ山が切られたボア７８、８２の少なくとも１つにおいて、適切な保持部材と固定される。必要であれば、フィラメント２２の所望の位置は、適切な寸法の詰め木８４（又は複数の詰め木）を本体５２と陰極カップ２６の間に置くことによって、調整できる。本体５２は、陰極カップ２６上に位置するため、フィラメント２２を所望の位置に位置決めする。キー６６ａ、６６ｂは、本体５２を位置合わせするためにキー溝３６に挿入される。最後に、本体５２は、セグメント６０のボア６８と陰極カップのネジ山が切られたボア４０とに適切なネジ山が切られた保持部材を置き、締めることによって、陰極カップ２６に固定される。
【００２８】
フィラメント２２が一旦所望の位置に位置決めされると、フィラメントは、例えばフィラメント・リード・ボア４４、４６においてフィラメントをかしめることによって、陰極カップ２６に固定される。フィラメントがフラッシュされ、その位置がＸ線管での使用に適切であると確認された後、フィラメント・リード２３ａ、２３ｂが、溶接（例えばレーザ溶接）によって、陰極カップに固定される。マンドリル７２は、本体５２から取り外される。マンドリル７２の取り外し後、本体は、ボア６８及び４０の保持部材を取り除くことによって、陰極カップから取り外される。陰極焦点キャップ（図示せず）がセットされたフィラメントの外周をほぼ取り囲む陰極カップ２６に固定されると、陰極組立が完了する。
【００２９】
本発明の特徴を示す装置及びその使用方法の別の実施形態を図３に示す。装置１２０は、第一のフィラメント・セッティング本体１５２ａと、第二のフィラメント・セッティング本体１５２ｂとを有する。これら本体はそれぞれ、陰極カップ１２６上の所望の位置にセットされるそれぞれのフィラメントを位置決めする。本体１５２ａ及び１５２ｂは、それぞれ中央部分１５４ａ及び１５４ｂを有する。各本体１５２ａ、１５２ｂは、接続された第一のアーム１５６ａ、１５６ｂと、接続された第二のアーム１５８ａ、１５８ｂとを有する。アーム１５６ａ、１５６ｂ、１５８ａ、及び１５８ｂのそれぞれは、それらのそれぞれの中央部分１５４ａ、１５４ｂの反対端に置かれる。それらアーム１５６ａ、１５６ｂ、１５８ａ、及び１５８ｂは、それらのそれぞれの中央部分１５４ａ、１５４ｂから離れる方向に延び、それらアーム１５６ａ、１５６ｂ、１５８ａ、及び１５８ｂの内表面とそれらの中央部分１５４ａ、１５４ｂとの間にくぼみ１５９ａ、１５９ｂを有する略Ｃ形フレームを形成する。
【００３０】
中央部分１５４ａ、１５４ｂのそれぞれは、既述の方法と同様に、本体１５２ａ、１５２ｂを陰極カップ１２６へ固定するのに適した材料から成るセグメント１６０ａ、１６０ｂをそれぞれ有する。これらセグメント１６０ａ、１６０ｂは、それらの底面から延び、陰極カップ１２６の関連するキー溝１３６又は１３８に受け入れられるように設計されたキー１６６（本体１５２ｂ用は見えない）を有する。中央部分のセグメント１６０ａ、１６０ｂは、絶縁体部分１６２ａ、１６２ｂ、１６４ａ、及び１６４ｂに適切に取り付け又は接合される。絶縁体部分１６２,１６４は、例えばセラミック材料から成る。
【００３１】
アーム１５６ａ、１５６ｂ、１５８ａ、及び１５８ｂは、銅などの導体材料から成り、それらのそれぞれの中央部分１５４ａ及び１５４ｂの隣接した絶縁体部分１６２ａ、１６２ｂ、１６４ａ、及び１６４ｂに、それらのそれぞれの内表面の一部に沿って、適切に取り付け又は接合される。
【００３２】
アーム１５６ａ、１５６ｂは、マンドリル１７２ａ、１７２ｂが通されるボア１７０ａ、１７０ｂを有する。これらのボアは、アーム１５６ａ、１５６ｂを通って延びる。第二のアーム１５８ａ、１５８ｂは、マンドリル１７２ａ、１７２ｂが受け入れられるボア１８０ａ及び１８０ｂ（本体１５２ｂ上のは見えない）を有する。マンドリル受け入れボア１８０ａ、１８０ｂは、それらのアームを貫いてもよく、或いは、該アームを部分的にのみ通るだけでもよい。
【００３３】
マンドリル１７２ａ、１７２ｂは、既述の方法と同様に、本体１５２ａ、１５２ｂにおいて固定される。本体、マンドリルを固定し、電流経路を完成させる適切なボア、保持部材、及び、電気端子が、既述の特徴と同様に、図３の装置に提供される。図３に示した実施形態の説明を簡素化するために重複する説明及び符号は省略したが、フィラメントを所望の位置に位置決めするための詰め木（図示せず）及び他の特徴は、図１及び２に関して既に説明したものと同様に、用いられる。
【００３４】
以上、本発明の特定の特徴を図示した実施形態のほんの一部に関して説明したが、そのような特徴は、あらゆる与えられた特定の用途にとって望まれ、有益的であり得るとき、他の実施形態の１以上の他の特徴と組み合わせられてもよい。
【００３５】
以上の本発明の説明から、当業者は、改良、変更、及び修正に気付くであろう。本分野の技量内でのそのような改良、変更、及び修正は、付属の請求項によってカバーされることが意図されている。例えば、フィラメント２２は、上述のようにマンドリルを通じて電流を掛ける代わりに、フィラメントを通じて直接電流を掛けることによって、フラッシュさせてもよい。この構成においては、非電気導体のマンドリルが用いられる。このマンドリルは、ホウ素窒化物又は窒化ジルコニウムから構成され得る。別の方法として、マンドリルは上述のように導電体で、アーム５６、５８が非電気導体材料から構成されてもよい。また、これらの構成は、フィラメント・フラッシュ作動のためにフィラメントを通る電流を供給する。
【００３６】
１つのセッティング取付具を用いて電極構造上に１又は複数のフィラメントをセッティングするオプションを提供するために、発明者らは１つのＯ形フレームを検討した。そのような配置では、Ｏ形フレームを完成させるために、アームは２つの中央部分が相互接続するまで延びる。取り巻くアーム及び中央部分によって規定されたくぼみは、所望の数のマンドリル及びフィラメントを受け入れる。各アームは、フィラメントを位置合わせするための少なくとも１つのマンドリル受け入れボアを有する。電極にセットされるフィラメントの所望数と所望の構成に応じて、追加のフィラメントをセッティングのために位置合わせするために、各アームに追加的な対のマンドリル受け入れボアを備えてもよい。加えて、長さが伸ばされ、複数のフィラメントをセットするために複数ペアのマンドリル受け入れボアを有するアームを有するＣ形取付具を有するフレームが考えられる。
【図面の簡単な説明】
【００３７】
【図１】本発明の特徴に係る装置の斜視図である。
【図２】本発明の特徴に係る装置の斜視図である。
【図３】本発明の特徴に係る装置の斜視図である。
【国際公開パンフレット】
2004530280.tif 000003
2004530280.tif 000004
2004530280.tif 000005
2004530280.tif 000006
2004530280.tif 000007
2004530280.tif 000008
2004530280.tif 000009
2004530280.tif 000010
2004530280.tif 000011
2004530280.tif 000012
2004530280.tif 000013
2004530280.tif 000014
2004530280.tif 000015
2004530280.tif 000016
2004530280.tif 000017
2004530280.tif 000018
2004530280.tif 000019
2004530280.tif 000020
2004530280.tif 000021
【国際公開パンフレット（コレクトバージョン）】
2004530280.tif 000022
【国際調査報告】
2004530280.tif 000023
2004530280.tif 000024
2004530280.tif 000025